(57)【要約】      （修正有）【課題】ユーザにとって有益性の高い情報を提供する。【解決手段】同一人物により異なる人格モードで行われた行動に関する行動履歴情報をそれぞれ記憶しておく人格モード行動履歴記憶手段と、所定の人格モードに対応する行動履歴情報を前記人格モード行動履歴記憶手段から読み出して、当該行動履歴情報に関連のある関連情報を配信する人格モード情報処理手段と、を有し、前記人格モードの入力を受け付けて登録する人格モード候補入力手段と、登録された複数の人格モードを選択候補として表示し、前記同一人物における現在の人格モードの選択を要求する人格モード選択入力手段と、を更に有し、前記人格モード情報処理手段は、前記現在の人格モードに対応する行動履歴情報を任意の既存情報と照合し、照合度が最も高い又は閾値を超える既存情報を用いて前記関連情報を生成する、複数人格情報処理装置。【選択図】図１
2014154089.tif 000002
【特許請求の範囲】
【請求項１】
同一人物により異なる人格モードで行われた行動に関する行動履歴情報をそれぞれ記憶しておく人格モード行動履歴記憶手段と、
所定の人格モードに対応する行動履歴情報を前記人格モード行動履歴記憶手段から読み出して、当該行動履歴情報に関連のある関連情報を配信する人格モード情報処理手段と、
を有することを特徴とする複数人格情報処理装置。
【請求項２】
前記人格モードの入力を受け付けて登録する人格モード候補入力手段と、
登録された複数の人格モードを選択候補として表示し、前記同一人物における現在の人格モードの選択を要求する人格モード選択入力手段と、を更に有し、
前記人格モード情報処理手段は、
前記現在の人格モードに対応する行動履歴情報を任意の既存情報と照合し、照合度が最も高い又は閾値を超える既存情報を用いて前記関連情報を生成することを特徴とする請求項１記載の複数人格情報処理装置。
【請求項３】
前記人格モード選択入力手段は、
前記人格モードを補完するための補完情報を更に用いて前記関連情報を生成することを特徴とする請求項２記載の複数人格情報処理装置。
【請求項４】
前記人格モードは、前記同一人物の状況に応じて登録され、
入力された状況条件に該当する状況の人格モードを前記現在の人格モードとして推定する人格モード推定手段を更に有することを特徴とする請求項１乃至３のいずれかに記載の複数人格情報処理装置。
【請求項５】
前記人格モード選択入力手段は、
前記同一人物以外の人格モードを選択候補として表示することを特徴とする請求項２乃至４のいずれかに記載の複数人格情報処理装置。
【請求項６】
コンピュータにより、
同一人物により異なる人格モードで行われた行動に関する行動履歴情報を人格モード行動履歴記憶手段にそれぞれ記憶しておくステップと、
所定の人格モードに対応する行動履歴情報を前記人格モード行動履歴記憶手段から読み出して、当該行動履歴情報に関連のある関連情報を配信するステップと、
を有することを特徴とする複数人格情報処理方法。
【請求項７】
コンピュータに、
同一人物により異なる人格モードで行われた行動に関する行動履歴情報を人格モード行動履歴記憶手段にそれぞれ記憶しておく処理と、
所定の人格モードに対応する行動履歴情報を前記人格モード行動履歴記憶手段から読み出して、当該行動履歴情報に関連のある関連情報を配信する処理と、
を実行させることを特徴とする複数人格情報処理プログラム。
【発明の詳細な説明】
【技術分野】
【０００１】
本発明は、広告等の情報を調整して配信する技術に関する。
【背景技術】
【０００２】
広告情報を調整してユーザに配信する配信装置がある。従来の配信装置は、サービス等の契約単位（ログインＩＤ等）を基準としてユーザの行動履歴を集約することにより、ユーザの特徴を把握していた（図１６参照）。
【先行技術文献】
【特許文献】
【０００３】
【特許文献１】特開２０１２−１４２７０４号公報
【特許文献２】特開２０１２−１４６５９号公報
【特許文献３】特開２００４−５１９７５８号公報
【発明の概要】
【発明が解決しようとする課題】
【０００４】
しかしながら、契約単位（ログインＩＤ単位）毎の行動履歴に基づいて広告情報を調整するため、ユーザの行動時における周囲の環境（家庭、会社）等に応じた有益な情報を配信することができなかった。
【０００５】
本発明は、上記事情を鑑みてなされたものであり、ユーザにとって有益性の高い情報を提供することを目的とする。
【課題を解決するための手段】
【０００６】
請求項１記載の複数人格情報処理装置は、同一人物により異なる人格モードで行われた行動に関する行動履歴情報をそれぞれ記憶しておく人格モード行動履歴記憶手段と、所定の人格モードに対応する行動履歴情報を前記人格モード行動履歴記憶手段から読み出して、当該行動履歴情報に関連のある関連情報を配信する人格モード情報処理手段と、を有することを要旨とする。
【０００７】
請求項２記載の複数人格情報処理装置は、請求項１記載の複数人格情報処理装置において、前記人格モードの入力を受け付けて登録する人格モード候補入力手段と、登録された複数の人格モードを選択候補として表示し、前記同一人物における現在の人格モードの選択を要求する人格モード選択入力手段と、を更に有し、前記人格モード情報処理手段は、前記現在の人格モードに対応する行動履歴情報を任意の既存情報と照合し、照合度が最も高い又は閾値を超える既存情報を用いて前記関連情報を生成することを要旨とする。
【０００８】
請求項３記載の複数人格情報処理装置は、請求項２記載の複数人格情報処理装置において、前記人格モード選択入力手段は、前記人格モードを補完するための補完情報を更に用いて前記関連情報を生成することを要旨とする。
【０００９】
請求項４記載の複数人格情報処理装置は、請求項１乃至３のいずれかに記載の複数人格情報処理装置において、前記人格モードは、前記同一人物の状況に応じて登録され、入力された状況条件に該当する状況の人格モードを前記現在の人格モードとして推定する人格モード推定手段を更に有することを要旨とする。
【００１０】
請求項５記載の複数人格情報処理装置は、請求項２乃至４のいずれかに記載の複数人格情報処理装置において、前記人格モード選択入力手段は、前記同一人物以外の人格モードを選択候補として表示することを要旨とする。
【００１１】
請求項６記載の複数人格情報処理方法は、コンピュータにより、同一人物により異なる人格モードで行われた行動に関する行動履歴情報を人格モード行動履歴記憶手段にそれぞれ記憶しておくステップと、所定の人格モードに対応する行動履歴情報を前記人格モード行動履歴記憶手段から読み出して、当該行動履歴情報に関連のある関連情報を配信するステップと、を有することを要旨とする。
【００１２】
請求項７記載の複数人格情報処理プログラムは、コンピュータに、同一人物により異なる人格モードで行われた行動に関する行動履歴情報を人格モード行動履歴記憶手段にそれぞれ記憶しておく処理と、所定の人格モードに対応する行動履歴情報を前記人格モード行動履歴記憶手段から読み出して、当該行動履歴情報に関連のある関連情報を配信する処理と、を実行させることを要旨とする。
【００１３】
以上より、本発明によれば、同一人物により異なる人格モードで行われた行動に関する行動履歴情報やその補完情報をそれぞれ記憶しておき、所定の人格モードに対応する行動履歴情報や補完情報を取得してそれらに関連のある関連情報を配信するため、ユーザの演じる人格や利用シーンに応じた有益性の高い情報を提供することができる。
【発明の効果】
【００１４】
本発明によれば、ユーザにとって有益性の高い情報を提供することができる。
【図面の簡単な説明】
【００１５】
【図１】本発明の概要の説明図である。
【図２】複数人格情報処理装置の機能ブロック構成を示す図である。
【図３】人格情報処理フロー（第１例）を示す図である。
【図４】人格情報処理フロー（第１例）説明時の参照図である。
【図５】人格モード及び補完情報の登録例を示す図である。
【図６】行動履歴情報の例を示す図である。
【図７】行動履歴情報の例を示す図である。
【図８】行動履歴情報の例を示す図である。
【図９】人格情報処理フロー（第２例）を示す図である。
【図１０】人格モードの推定処理フローを示す図である。
【図１１】人格モードの推定処理フロー説明時の参照図である。
【図１２】状況判定情報の例を示す図である。
【図１３】人格モードの補完処理フローを示す図である。
【図１４】人格モードの補完処理フロー説明時の参照図である。
【図１５】人格モードの補完処理フロー（具体的処理例）を示す図である。
【図１６】従来技術の説明図である。
【発明を実施するための形態】
【００１６】
日常の生活シーンにおける購買行動等の決定に影響を与える要因として、我々は、外部状況に応じた最適な行動決定をとっている。例えば、コンビニにおいては、同じ人物であっても、朝、会社へ行く途中で家の近くのコンビニで買うもの、昼休みに会社の近くのコンビニで買うもの、終電近くに帰ってきて家の近くのコンビニで買うものは大きく異なっている。
【００１７】
また、例えば、同じ人物でも、家族の一員として、親として、会社員として、部下として、オフタイムを楽しむ個人として、おかれた状況に応じて、求める情報や買い求める商品が異なっている。同じ人物でも、例えば、会社で最新技術動向を調査している場面で、非常に個人的な品物、例えば、下着とか育毛剤などの広告を出されても購入しようとは思わないことが多い。
【００１８】
そして、そのような状況に反したマーケティングを行うことによって困惑や憤りを呼び、オフタイムに再度広告を出しても反応率が低下するなどのネガティブな影響が出ることもある。
【００１９】
また、一度だけ買って二度と利用しないようなものが何度も「おすすめ」として提供されることにより不愉快になる等の弊害がある。例えば、一度、お悔やみ電報の提供を利用すると、いつまでも、「お悔やみ電報」の「おすすめ」が表示される等である。必要にせまられて行った不本意な購入履歴をもとに「おすすめ」することにより、かえって顧客を遠ざけてしまうという弊害がある。
【００２０】
更に、従来の電子商取引は、多品種の商品、安い価格、ワンクリックで簡単に購入できる等の機能に偏重していて、人間が複数の役割毎に違う理由によって消費をするということが十分に考慮されていなかった。
【００２１】
例えば、自動車を所有していて、自動車の関連商品については非常に詳細な知識を持ちディテイルにこだわるが、それ以外の商品は日用品として価格重視で選択する、というようなこだわりを表現することができなかった。これは、従来の商取引が貧乏と金持ちの二分論のような消費者を一種類のラベルによって判断するマーケティングをしており、その先にある消費者自身を異なる場面や役割において、さらに細分化して定義する機能が十分でなかったことによる。
【００２２】
そこで本発明では、ユーザの行動時における状況により個人の役割が異なり、外部環境による行動への影響が想定されることに着目し、同一人物における購買行動をも支配する役割意識の違いを人格（ペルソナ）として定義し、ユーザが人格を自主判別し若しくはシステムの自動判別又はそれらを組み合わせ、該当する人格やロケーション・時間帯等に応じた行動履歴に基づく情報を配信するようにしている（図１参照）。
【００２３】
以下、本発明を実施する一実施の形態について図面を用いて説明する。但し、本発明は多くの異なる様態で実施することが可能であり、本実施の形態の記載内容に限定して解釈すべきではない。
【００２４】
〔複数人格情報処理装置の構成について〕
図２は、本実施の形態に係る複数人格情報処理装置１の機能ブロック構成を示す図である。この複数人格情報処理装置１は、入出力部１１と、カスタマイズ情報処理部１２と、人格モード判定部１３と、データ記憶部１４と、人格モード推定部１５と、人格モード候補選定部１６とで構成される。これら全ての機能部１１〜１６は、相互に通信可能に電気的・物理的に接続されている。
【００２５】
入出力部１１は、本装置１を利用中のユーザに対して文字的又は絵的なインタフェースを提供し、Ｗｅｂサービス等を用いて本装置１の利用手順や入力画面等を表示して、ユーザによって入力された各種情報を受け付ける機能を備えている。
【００２６】
カスタマイズ情報処理部１２は、インタフェース上に表示される情報をユーザの要求に応じて適宜カスタマイズする機能を備えている。
【００２７】
人格モード判定部１３は、同一人物が演じる人格を人格モードと定義し、各人格モードの入力を受け付ける人格モード候補入力部１３１と、本装置１の利用時におけるユーザの現在の人格モードの選択入力を受け付ける人格モード選択入力部１３２と、選択された人格モード（ユーザによる自主判別）又は推定された人格モード（本装置１による自動判別）に対応する行動履歴やその補完情報に関連のある関連情報を生成し配信する人格モード情報処理部１３３とを備えている。
【００２８】
データ記憶部１４は、入力された人格モードを選択候補として記憶しておく人格モード候補記憶部１４１と、入力された現在の人格モードを記憶しておく現在人格モード記憶部１４２と、各人格モードで行われた行動履歴を行動履歴情報としてそれぞれ記憶しておく人格モード行動履歴記憶部１４３と、補完情報（後述）と人格モードとの対応関係を状況判定情報として記憶しておく状況判定情報記憶部１４４とを備えている。
【００２９】
人格モード推定部１５は、入力された補完情報に対応する人格モードを状況判定情報から検索する状況情報解析部１５１と、人格モードを推定する人格モード推定選択処理部１５２とを備えている。
【００３０】
人格モード候補選定部１６は、他人のユーザの人格モードを更に用いて利用中のユーザの人格モードの候補を判定する人格モード候補判定部１６１と、候補判定された人格モードを一候補として提示する人格モード候補提示部１６２とを備えている。
【００３１】
〔人格情報処理方法について〕
次に、図３及び図４を参照しながら、複数人格情報処理装置１で行う人格情報処理方法（第１例）について説明する。具体的には、人格候補と重み付け情報から人格の選択とそれに対応した情報の評価処理を行い、現在のユーザ状況に合う情報を配信する方法について説明する。
【００３２】
まず、カスタマイズ情報処理部１２が、ユーザに最終配信される情報について、（１）予め装置１内で設定されたルールに基づいて選択したものを配信する選択方法と、（２）装置１による自動ルール算出や類似性算出での自動処理に基づいて選択したものを配信する選択方法とを選択可能に表示し、ユーザにより選択された選択方法を予め自処理部内で保持する（ステップＳ１０１）。
【００３３】
尚、ステップＳ１０１は、人格モード情報処理部１３３で実行しても構わないし、後述するステップＳ１０５の直前に実行しても構わない。
【００３４】
次に、人格モード候補入力部１３１が、ユーザが演じる人格の人格モードの設定を要求してその入力を受け付け、入力された人格モードを人格モード候補記憶部１４１に登録する（ステップＳ１０２）。
【００３５】
このステップＳ１０２により、例えば、「父親の私」、「夫の私」、「会社員の私」、「ソフトウェア技術者の私」、「パラグライダーファンの私」、「つりファンの私」といった人格モードが定義され、装置１内に登録されることになる。
【００３６】
このとき、自装置１内で予め保持している既存の人格モードから任意に選択させても構わないし、ユーザが新規に人格モードをカスタマイズ生成して登録させるようにしても構わない。
【００３７】
また、このような人格モードに対して、各人格での行動決定の一要素となる補完情報を指定等して付与することも可能である。例えば、場所、時刻、キーワード、購入サイトＵＲＬ、イベント名等の「タグ情報」を同一人格での状況に応じて付与することも可能である。その他、０〜１００の範囲内での実数値を「重み付け情報」として人格モード間又はタグ情報間での重要度の相違に応じて付与することも可能である。
【００３８】
この補完情報は、人格モードと同様にユーザの要求に応じて新規にカスタマイズ生成することや、過去の行動履歴情報を用いて生成することも可能であり、該当する人格モードに対応付けて登録される（図５参照）。尚、補完情報を対応付ける方法としては、（１）ユーザ指定による対応付け、（２）本装置１による自動（推定）対応付け等が考えられる。
【００３９】
次に、人格モード選択入力部１３２が、人格モード候補記憶部１４１に登録されている人格モードを読み出して選択候補として表示し、ユーザにおける現在の人格モードの選択を要求して、選択された人格モードを現在の人格モードとして現在人格モード記憶部１４２に登録する（ステップＳ１０３）。
【００４０】
このとき、人格モードと共に補完情報が入力されている場合には、その補完情報は、ステップＳ１０３における選択要求時の条件情報として活用される。例えば、ある場所に該当する人格モードのみを表示したり、指定値以上に重み付けられた人格モードのみを表示したりする等である。
【００４１】
次に、人格モード情報処理部１３３が、現在の人格モードで行われたユーザの行動履歴を行動履歴情報として当該現在の人格モードに対応付けて人格モード行動履歴記憶部１４３に記録する（ステップＳ１０４）。
【００４２】
行動履歴情報とは、例えば、ウェブページの検索、ウェブサイトの参照や閲覧、インターネットを介したネット通販商品の購入等である。ユーザの行動履歴をそのまま行動履歴情報に記録しても構わないし、再編集したり、お薦め情報として使用したくない検索履歴等については不要モードに仕分けたりしても構わない。
【００４３】
このようなステップＳ１０３〜ステップＳ１０４の処理を繰り返すことにより、ユーザの人格毎の行動情報が管理されることになる（図６〜図８参照）。図７では、外部環境（エリア、店舗、メディア等）に対応してユーザ等の外部から定義付けされた場合を示している。図８では、補完情報が付与された場合を示している。
【００４４】
次に、人格モード情報処理部１３３は、現在の人格モードに対応する補完情報や行動履歴情報を人格モード候補記憶部１４１と人格モード行動履歴記憶部１４３から読み出して、当該行動履歴情報と既存の広告等情報（任意の既存情報）と評価処理して当該行動履歴情報に関連のあるお薦め情報を生成し、ユーザに配信する（ステップＳ１０５）。
【００４５】
お薦め情報を生成する際、ステップＳ１０１で登録された選択方法に基づいて選択されたもののみが用いられる。尚、お薦め情報とは、例えば、電子商取引の割引情報や広告・宣伝情報、ニュース記事情報やブログ記事情報、その他利用者が興味を持つと推測されるあらゆる情報である。また、既存の広告等情報とは、自装置１内で保持しているもの以外に、インターネット上に保存されている任意の広告情報や宣伝情報等を用いても構わない。
【００４６】
続いて、図９を参照しながら、お薦め情報の最適化方法を中心とした人格情報処理方法（第２例）について説明する。
【００４７】
まず、人格モード候補記憶部１４１が、ユーザの有する各人格モードに対して任意の特性ベクトルをそれぞれ設定する（ステップＳ２０１）。この特性ベクトルとしては、例えば、流行、懐古趣味、贅沢、感性（人情、未来志向）等、１０００次元程度が考えられ、予め本装置１に登録され、又は人格モードの補完情報から判別される。
【００４８】
次に、人格モード候補記憶部１４１は、人格モード以外に補完情報がある場合、その補完情報（具体的には、過去の行動履歴情報からの検索キーワード、ウェブサイトＵＲＬ、購入物等）に対しても特性ベクトルを予め与えられたルール又は類似性算出方法を用いて自動でそれぞれ割り当てる（ステップＳ２０２）。
【００４９】
次に、人格モード情報処理部１３３が、自装置１又はインターネットから所定の広告やお薦め情報等を取得し、それらに対しても特性ベクトルを予め与えられたルール又は類似性算出方法を用いて自動でそれぞれ割り当てる（ステップＳ２０３）。
【００５０】
次に、人格モード情報処理部１３３は、ユーザによって行われた検索履歴、購入履歴、参照履歴等の行動履歴を人格モードに対応付けて人格モード行動履歴記憶部１４３に格納する（ステップＳ２０４）。
【００５１】
具体的には、現在人格モード記憶部１４２に登録されている現在の人格モードと人格モード行動履歴記憶部１４３に登録されている行動履歴情報とを紐付け、人格モード行動履歴記憶部１４３へ記憶指示を行うことにより、各人格モードに応じた行動履歴を人格モード行動履歴記憶部１４３で記憶する。
【００５２】
次に、人格モード情報処理部１３３は、人格モード行動履歴記憶部１４３から行動履歴情報を読み出して、人格モード毎に、検索用語の使用頻度と購入物の購入頻度とウェブサイトの参照頻度とをそれぞれ計算する（ステップＳ２０５）。
【００５３】
次に、人格モード情報処理部１３３は、人格モード毎の検索用語の使用頻度と購入物の購入頻度とウェブサイトの参照頻度とを重みとし、各人格モードに対して重み付け情報が設定されている場合は当該重み付け情報も用いて、当該用語と購入物とウェブサイト参照に関する特性ベクトルを計算し、ステップＳ２０１やステップＳ２０２で割り当てられた特性ベクトルも用いて、頻度と経過時間による加重平均ベクトルを人格モード毎に計算する（ステップＳ２０６）。
【００５４】
最後に、人格モード情報処理部１３３は、ステップＳ２０６で計算された人格モード毎の現在特性ベクトルと、予め入力された様々な情報やステップＳ２０３で割り当てられた広告等情報に対する特性ベクトルとのマッチング（照合）をとり、距離の小さい広告等情報（例えば、照合度が最も高いもの又は閾値を越えるもの）をカスタマイズ情報として生成し、ユーザに配信する（ステップＳ２０７）。
【００５５】
〔人格モードの推定方法について〕
次に、図１０及び図１１を参照しながら、入力された条件情報に基づいて複数の人格モードから処理時点のユーザの状況に応じた人格モードを自動推定する方法について説明する。
【００５６】
まず、状況判定情報記憶部１４４が、本装置１又はユーザによって定義された複数の補完情報（本方法及び次の補完方法において「状況条件」という）に対する複数の人格モードとの関連を状況判定情報として保存する（ステップＳ３０１）。
【００５７】
このステップＳ３０１により、状況条件に応じて、家族モード、仕事モード、娯楽モード等といった予め装置１により定義された人格モード、又はユーザ自身によって定義された人格モードについて、自動的に、人格との相関関係が定義されることになる（図１２参照）。
【００５８】
尚、このステップＳ３０１において、状況条件と人格モードの入力を新たに要求しても構わないし、現在人格モード記憶部１４２や人格モード行動履歴記憶部１４３に既に登録されている情報を流用しても構わない。
【００５９】
次に、状況情報解析部１５１が、ユーザによって入力された状況条件に該当する全ての人格モードを人格モード行動履歴記憶部１４３から取得する（ステップＳ３０２）。
【００６０】
例えば、状況条件として所定の時間と所定の場所が入力されている場合には、当該時間及び当該場所に合致する時間及び場所に関連付けられた人格モードを状況判定情報から取得する。
【００６１】
次に、人格モード推定選択処理部１５２が、ステップＳ３０２で取得された複数の人格モード間の類似性に基づき、処理実行時点での最適なユーザの人格モードを現在の人格モードとして候補選定（推定）する（ステップＳ３０３）。
【００６２】
尚、人格モードを候補選定するに際し、人格モード間の類似性からスコア付けを行い、得点の最も高い人格モードや閾値以上のスコアに該当する複数の人格モードを選定するようにしても構わない。
【００６３】
最後に、人格モード情報処理部１３３が、ステップＳ３０３で推定された１つ以上の人格モードを用いて、上述したステップＳ１０５と同様の処理を実行する（ステップＳ３０４）。
【００６４】
〔人格モードの補完方法について〕
次に、図１３及び図１４を参照しながら、他人のユーザにて判定された人格モードを新たな人格モードとし、現在の人格モードとしてアドバイス表示する方法について説明する。但し、人格モード候補記憶部１４１には、本装置１の利用ユーザに顕在化していない他人の人格モードが予め登録されているものとする。
【００６５】
まず、人格モード候補判定部１６１が、人格モード候補記憶部１４１から、本装置１を利用しているユーザ以外の他人のユーザの人格モードを含む複数の人格情報を取得する（ステップＳ４０１）。
【００６６】
次に、人格モード候補判定部１６１は、取得した人格情報から人格モードを収集し、状況条件の類似性（例えば、タグ情報の類似性等）に基づき又はパターン抽出を行うことにより、それら複数の人格モードをクラスタリングする（ステップＳ４０２）。
【００６７】
次に、人格モード候補判定部１６１は、クラスタリングされた各クラスタに対応する人格モードの代表の集合を抽出する（ステップＳ４０３）。
【００６８】
次に、人格モード候補判定部１６１は、ユーザによって入力された状況条件との類似性等に基づいて、抽出された代表的な人格モードの集合から当該ユーザが属する人格モードのクラスタを自動判定する（ステップＳ４０４）。
【００６９】
次に、人格モード候補提示部１６２が、ステップＳ４０４で自動判定されたクラスタに属する代表的な人格モードを補足人格モードとし人格モード選択入力部１３２に送信し、人格モード選択入力部１３２は、それをお薦めの人格モードの候補として表示する（ステップＳ４０５）。
【００７０】
このとき、ユーザが適当な人格モードを選べない場合、人格モード候補提示部１６２は、次に類似度の高いクラスタの人格モードをお薦め表示する。以降同様に、順次、全体のクラスタ集合から最近設定された人格モードを表示し、全体のクラスタ集合から人気のある人格モードを表示し、蓄積されている人格モードをランダムにお薦め表示する。それでも選べない場合には、登録された人格モードを検索する機能を提供する。
【００７１】
その後、人格モード候補提示部１６２は、ユーザによる人格モードの選択・非選択結果を履歴として管理し、人格モード選択入力部１３２は、その結果を人格モード候補記憶部１４１に記憶させる（ステップＳ４０６）。
【００７２】
続いて、図１５を参照しながら、人格モード補完方法の具体的な処理例について説明する。
【００７３】
まず、人格モード候補判定部１６１が、他人の人格について予めモード予想を行い、家族モード、仕事モード、部下モード、上司モード、メセナモード、贅沢モード、貴族モード、格安モード、こだわりモード、娯楽モード、自宅モード、調査モード等の初期集合を設定しておく（ステップＳ５０１）。
【００７４】
次に、人格モード候補判定部１６１は、その初期集合を基にユーザに対して現在の人格モードを選択させ、選択された人格モードを利用する。一方、初期集合内から人格モードが選択できない場合は、そのユーザ特有の人格モードである可能性があるため、現在の状況条件を新たな人格モードの判定ルールとして入力させる（ステップＳ５０２）。
【００７５】
次に、人格モード候補判定部１６１は、ステップＳ５０２で入力されたユーザ特有の判定ルールを基に、他人の人格モードの判定ルールとの類似性を計算する（ステップＳ５０３）。
【００７６】
次に、人格モード候補判定部１６１は、類似した判定ルールに該当する人格モードの所有ユーザから、当該ユーザの代表的属性（年齢、職業、居住地等）に基づき類似集団を検索する（ステップＳ５０４）。これにより、当該代表的属性に類似するユーザ群の人格モードに更に絞り込まれる。
【００７７】
次に、人格モード候補提示部１６２が、検索された類似集団における人格モードの利用状況を把握し、上位の人格モードから順次お薦め表示する（ステップＳ５０５）。
【００７８】
最後に、人格モード候補提示部１６２は、いくつか人格モードをお薦め表示して該当しない場合には、次に類似度の高い類似集団を用いてステップＳ５０４〜ステップＳ５０５を繰り返す（ステップＳ５０６）。
【００７９】
以上より、本実施の形態によれば、同一人物により異なる人格モードで行われた行動に関する行動履歴情報やその補完情報をそれぞれ記憶しておき、所定の人格モードに対応する行動履歴情報や補完情報を取得してそれらに関連のある関連情報を配信するので、ユーザの演じる人格や利用シーンに応じた有益性の高い情報を提供することができる。
【００８０】
すなわち、配信される情報がユーザの現在の人格に該当するように調整されることから、消費者にとって、便利で快適な情報・購買環境を提供することができる。また、ターゲットを絞って販売情報等が提供されるため、情報配信者である販売側においても、適切なマーケティング活動や、反応率や購買率の向上を得ることが可能である。
【００８１】
最後に、本実施の形態で説明した複数人格情報処理装置１は、メモリやＣＰＵを備えたコンピュータで実現できる。また、その処理は、プログラムによって実行可能に実現できる。
【符号の説明】
【００８２】
１…複数人格情報処理装置
１１…入出力部
１２…カスタマイズ情報処理部
１３…人格モード判定部
１３１…人格モード候補入力部
１３２…人格モード選択入力部
１３３…人格モード情報処理部
１４…データ記憶部
１４１…人格モード候補記憶部
１４２…現在人格モード記憶部
１４３…人格モード行動履歴記憶部
１４４…状況判定情報記憶部
１５…人格モード推定部
１５１…状況情報解析部
１５２…人格モード推定選択処理部
１６…人格モード候補選定部
１６１…人格モード候補判定部
１６２…人格モード候補提示部
Ｓ１０１〜Ｓ１０５、Ｓ２０１〜Ｓ２０７、Ｓ３０１〜Ｓ３０４、Ｓ４０１〜Ｓ４０６、Ｓ５０１〜Ｓ５０６…ステップ
【図１】
2014154089.tif 000003
【図２】
2014154089.tif 000004
【図３】
2014154089.tif 000005
【図４】
2014154089.tif 000006
【図５】
2014154089.tif 000007
【図６】
2014154089.tif 000008
【図７】
2014154089.tif 000009
【図８】
2014154089.tif 000010
【図９】
2014154089.tif 000011
【図１０】
2014154089.tif 000012
【図１１】
2014154089.tif 000013
【図１２】
2014154089.tif 000014
【図１３】
2014154089.tif 000015
【図１４】
2014154089.tif 000016
【図１５】
2014154089.tif 000017
【図１６】
2014154089.tif 000018